(57)【要約】      （修正有）【課題】洗浄水がボウル部のリム部から便器外へ飛び出すことを抑制し、さらに、洗浄性能を向上させることができる水洗大便器を提供する。【解決手段】水洗大便器１は、洗浄水を便器本体２に供給して洗浄する水洗大便器１であって、ボウル形状の汚物受け面１６と、上縁に位置しボウル部８の内側空間に露出する内周面２２を有するリム部１８と、を備えたボウル部８と、リム部１８の内周面２２に沿って洗浄水を吐水し旋回する流れを形成するリム吐水部２４、２６と、を有し、リム部１８の内周面２２には、その上側領域にリム吐水部２４、２６から吐水され旋回する洗浄水の流れを減速させる旋回流減速手段８０が設けられている。【選択図】図１
2015183420.tif 000002
【特許請求の範囲】
【請求項１】
洗浄水を便器本体に供給して洗浄する水洗大便器であって、
ボウル形状の汚物受け面と、上縁に位置し内側に露出する内周面を有するリム部と、を備えたボウル部と、
上記リム部の内周面に沿って洗浄水を吐水し旋回する流れを形成するリム吐水部と、を有し、
上記リム部の内周面の上側領域に上記リム吐水部から吐水され旋回する洗浄水の流れを減速させる旋回流減速手段が設けられていることを特徴とする水洗大便器。
【請求項２】
上記旋回流減速手段は、上記リム部の前端の近傍の上流側領域に形成された第１旋回流減速手段である請求項１記載の水洗大便器。
【請求項３】
上記リム吐水部は、上記ボウル部の左右方向の一方側に配置されている上記第１リム吐水部と、
上記ボウル部の左右方向を中心とした他方側に配置され、上記リム部の内周面に洗浄水を吐水して上記第１リム吐水部による旋回流と同一方向の旋回流を形成する第２リム吐水部とを有し、
上記旋回流減速手段は、さらに、上記リム部の後方側領域内の上記第２リム吐水部の近傍の上流側領域に形成された第２旋回流減速手段を備え、上記第２旋回流減速手段は、上記リム部の前端から後方の第２リム吐水部の近傍の上流側領域を通過して上記第２リム吐水部近傍の合流領域に至る洗浄水の流れを減速することができる請求項２記載の水洗大便器。
【請求項４】
上記旋回流減速手段は、平面視で、上記リム部の上記内周面から上記ボウル部の内側に突出する凸形状又は上記ボウル部の外側に凹む凹形状に形成されている請求項１乃至３の何れか１項に記載の水洗大便器。
【請求項５】
一定の大流量の洗浄水を所定時間継続して便器本体へ供給する供給装置と、
上記供給装置は、洗浄水を貯水する貯水タンクと、少なくともその一部が上記貯水タンク内で水没した状態で配置されたジェットポンプユニットを備えている請求項１乃至４の何れか１項に記載の水洗大便器。
【発明の詳細な説明】
【技術分野】
【０００１】
本発明は、水洗大便器に係り、特に、洗浄水供給源から供給される洗浄水により便器本体を洗浄して汚物を排出する水洗大便器に関する。
【背景技術】
【０００２】
従来から、便器を洗浄して汚物を排出する水洗大便器として、特許文献１に記載されているように、清掃性を向上させるために、水洗大便器のボウル部のリム部の内周を上方に向かってボウル部の内側へと張り出すようなオーバーハング形状に形成し、洗浄水をリム吐水口から水平方向へ吐水してリム部の内周面を旋回する流れをボウル面に流下させて洗浄するものが知られている。このような便器においては、洗浄水が平面視で楕円形のリム部の内周面に沿って流れる旋回流を形成するようになっている。
一方、特許文献２に記載されているように、大流量且つ比較的勢いの強い洗浄水をボウル部に継続的に長時間にわたって供給するために、洗浄水をリム吐水口から大流量を継続的に吐水する（約80L/minの流量を約4秒間にわたって吐水する）ジェットポンプ機構を備えた水洗大便器が知られている。
【先行技術文献】
【特許文献】
【０００３】
【特許文献１】特許３８１７７３４号公報
【特許文献２】特開２００４−１５６３８２号公報
【発明の概要】
【発明が解決しようとする課題】
【０００４】
ここで、近年の節水化ニーズに対応させるために、特許文献１に記載されているような上方に向かってボウル内空間側へと張り出したオーバーハング形状のリム部を有する便器に、特許文献２に記載されているジェットポンプ機構のような大流量の洗浄水を継続的に便器に供給する供給機構を適用し、節水化と洗浄性能の両立をすることが検討されている。
しかしながら、これらを組み合わせると、大流量の洗浄水が楕円形のリム部の内周面にそって長時間流れるため、洗浄の後半において、内周面を旋回する洗浄水が徐々に上昇して、やがてオーバーハング形状のリム部から便器外へと飛び出てしまうという課題が生じている。特に、リム吐水を１００％にするタイプの水洗大便器においては、リム吐水口から吐水される洗浄水量が増加するため、リム部から便器外への水の飛び出しは顕著に生じ、解決すべく必須の課題となっている。
【０００５】
本発明は、上述した従来技術の問題点を解決するためになされたものであり、洗浄水がボウル部のリム部から便器外へ飛び出すことを抑制し、さらに、洗浄性能を向上させることができる水洗大便器を提供することを目的としている。
【課題を解決するための手段】
【０００６】
上記の目的を達成するために、本発明は、洗浄水を便器本体に供給して洗浄する水洗大便器であって、ボウル形状の汚物受け面と、上縁に位置し上記ボウル部の内側空間に露出する内周面を有するリム部と、を備えたボウル部と、リム部の内周面に沿って洗浄水を吐水し旋回する流れを形成するリム吐水部と、を有し、リム部の内周面には、その上側領域に上記リム吐水部から吐水され旋回する洗浄水の流れを減速させる旋回流減速手段が設けられていることを特徴としている。
このように構成された本発明においては、洗浄水を便器本体へ供給し、リム部の内周面を旋回する洗浄水が、内周面の下側領域から上側領域に上昇する場合に、旋回流減速手段が旋回する洗浄水の流れを減速させることができ下方へと向きを変えることができる。よって、リム部の内周面における洗浄水の旋回性を維持すると共に、リム部の内周面に沿って洗浄水の旋回流が上昇して便器外へ飛び出すことを抑制することができる。この結果、本発明によれば、洗浄水がボウル部のリム部から便器外へ飛び出すことを抑制し、さらに、洗浄性能を向上させることができる。
【０００７】
本発明において、好ましくは、旋回流減速手段は、リム部の前端の近傍の上流側領域に形成された第１旋回流減速手段である。
このように構成された本発明においては、第１旋回流減速手段が、リム部の前端の近傍の上流側領域に形成されているので、リム部の内周面を旋回する洗浄水が、内周面の下側領域から上側領域に上昇する場合に、第１旋回流減速手段が、リム部の前端の近傍の上流側領域から、曲率半径の小さいリム部の前端を通過して、洗浄水が便器外へ飛び出しやすいリム部の前端の近傍の下流側領域に至る洗浄水の流れを減速することができる。つまり、便器外へ洗浄水が飛び出しやすいリム部の前端の近傍の下流側領域に至った洗浄水の内、内周面の下側領域から上側領域に上昇する洗浄水の量を減らすことができ、洗浄水が飛び出しやすいリム部の前端の近傍の下流側領域において、洗浄水が便器外へ飛び出すことを防止することができる。
【０００８】
本発明において、好ましくは、上記リム吐水部は、ボウル部の左右方向の一方側に配置されている第１リム吐水部と、ボウル部の左右方向を中心とした他方側に配置され、上記リム部の内周面に洗浄水を吐水して第１リム吐水部による旋回流と同一方向の旋回流を形成する第２リム吐水部とを有し、旋回流減速手段は、さらに、リム部の後方側領域内の第２リム吐水部近傍の上流側領域に形成された第２旋回流減速手段を備え、第２旋回流減速手段は、リム部の前端から後方の第２リム吐水部の近傍の上流側領域を通過して第２リム吐水部近傍の合流領域に至る洗浄水の流れを減速することができる。
このように構成された本発明においては、リム部の内周面を旋回する洗浄水が、内周面の下側領域から上側領域に上昇する場合に、第２旋回流減速手段が、第２リム吐水部の近傍の上流側領域を通過して、洗浄水が便器外へ飛び出しやすい第２リム吐水部の近傍の合流領域に至る洗浄水の流れを減速させることができ下方へと向きを変えることができる。つまり、便器外へ洗浄水が飛び出しやすい第２リム吐水部の近傍の合流領域に至った洗浄水の内、内周面の下側領域から上側領域に上昇する洗浄水の量を減らすことができ、洗浄水が飛び出しやすい第２リム吐水部の近傍の合流領域において、洗浄水が便器外へ飛び出すことを防止することができる。
【０００９】
本発明において、好ましくは、旋回流減速手段は、平面視で、リム部の内周面からボウル部の内側に突出する凸形状又はボウル部の外側に凹む凹形状に形成されている。
このように構成された本発明においては、旋回流減速手段は、平面視で、リム部の内周面からボウル部の内側に突出する凸形状又はボウル部の外側に凹む凹形状に形成されているので、リム部の内周面における洗浄水の旋回性を著しく損なうことなく、リム部の内周面を旋回する洗浄水が、洗浄の後半等において下側領域から上側領域に上昇する場合に、旋回する洗浄水の流れを減速させることができ下方へと向きを変えることができる。
【００１０】
本発明は、好ましくは、一定の大流量の洗浄水を所定時間継続して便器本体へ供給する供給装置と、供給装置は、洗浄水を貯水する貯水タンクと、少なくともその一部が貯水タンク内で水没した状態で配置されたジェットポンプユニットを備えている。
このように構成された本発明においては、供給装置が、一定の大流量の洗浄水を所定時間継続して便器本体へ供給するジェットポンプユニットであっても、リム部の内周面における上側領域に旋回流減速手段が設けられているので、供給装置が一定の大流量の洗浄水を所定時間継続して便器本体へ供給し、リム部の内周面を旋回する洗浄水が、内周面の下側領域から上側領域に上昇する場合に、旋回する洗浄水の流れを減速させることができ下方へと向きを変えることができる。
【発明の効果】
【００１１】
本発明の水洗大便器によれば、洗浄水がボウル部のリム部から便器外へ飛び出すことを抑制し、さらに、洗浄性能を向上させることができる。
【図面の簡単な説明】
【００１２】
【図１】本発明の実施形態による水洗大便器を示す平面図である。
【図２】図１のII−II線に沿って見た断面図である。
【図３】本発明の実施形態による水洗大便器の給水装置を示す平面図である。
【図４】図３の正面図である。
【図５】図３の給水装置を示す概略正面図である。
【図６】図３の給水装置により供給される洗浄水の瞬間流量と時間との関係を示す線図である。
【図７】図１のVII−VII線に沿って見た部分断面図である。
【図８】図１のVIII−VIII線に沿って見た部分断面図である。
【図９】図１のIX−IX線に沿って見た部分断面図である。
【発明を実施するための形態】
【００１３】
次に、添付図面を参照して、本発明の実施形態による水洗大便器を説明する。先ず、図１及び図２により、本発明の実施形態による水洗大便器の基本構造を説明する。図１は本発明の実施形態による水洗大便器を示す平面図であり、図２は図１のII−II線に沿って見た断面図である。
【００１４】
本発明の実施形態による水洗大便器１は、床に設置された排水管（図示せず）に後述する排水管路が接続される床排水タイプの洗落し式水洗大便器である。
図１及び図２に示すように、水洗大便器１は、便器本体２と、この便器本体２に洗浄水を供給する給水装置４（供給装置）を備えている。便器本体２は、表面に釉薬層が形成された陶器製であり、下部にスカート部７が形成され、上半分のうち前方にボウル部８が形成され、後方上部にはその上流端が給水装置４に連通する共通通水路１０が形成され、さらに、後方下部に汚物を排出するための排水管路１２が形成されている。
【００１５】
上述した給水装置４は、貯水タンク５及び後述するジェットポンプユニット６を備えている。なお。本発明は、重力給水式の貯水タンクを有するタンク式の水洗大便器、貯水タンクを持たず水道から直接洗浄水が供給される直圧式水洗大便器や、フラッシュバルブにより洗浄水が供給されるタイプの水洗大便器等にも適用できる。
【００１６】
ボウル部８は、ボウル形状の汚物受け面１６と、上縁に位置するリム部１８と、汚物受け面１６の下方に形成された凹部２０と、を備えている。ここで、リム部１８の内周面２２は、図２等に示すように、ボウル部８の内側空間に露出し且つ内側空間に向かって上方に延びる形状、具体的に言えば、内側に露出するオーバーハングした形状に形成されている。この内周面２２は、その下方側において横方向に延びる棚状部２２ａと、上方向に延びる壁状の側壁部２２ｂとを含んでいる。
【００１７】
ボウル部８のリム部１８の内周面２２の前方から見て左側の中央部の少し後方側に、洗浄水を吐水する第１リム吐水口２４が形成され、前方から見て右側後方側に、第２リム吐水口２６が形成されている。これらの第１リム吐水口２４及び第２リム吐水口２６は、それぞれ、洗浄水を同一方向（図１では反時計回りの方向）に吐水し、旋回流を形成するようになっている。
【００１８】
また、上述した水洗大便器１の後方上部に形成された共通通水路１０は、便器前方に向かって、第１通水路２８及び第２通水路３０に分岐している。第１通水路２８は、第１リム吐水口２４に洗浄水を供給するためのものであり、第２通水路３０は、第２リム吐水口２６に洗浄水を供給するためのものである。
【００１９】
上述した水洗大便器１においては、第１リム吐水口２４、第１通水路２８及び第２リム吐水口２６、第２通水路３０は、陶器製の便器本体２と一体に形成されているが、本実施形態による水洗大便器は、この形態に限られず、第１リム吐水口、第１通水路及び第２リム吐水口、第２通水路を便器本体とは別体のディストリビユータ等により形成するようにしても良い。
【００２０】
さらに、排水管路１２は、凹部２０の底面と接続しほぼ同一径（ほぼ同一断面形状）を有し且つ後方下方へ延びる導入管路３２と、この導入管路３２と接続し上方へ延びる排水トラップ管路３４と、を備えている。この導入管路３２は、入口３２ａを除く部分で、ほぼ同一径（ほぼ同一断面形状）を有し、管路内が同じ断面積となっている。また、排水トラップ管路３４は、上昇路３４ａと下降路３４ｂとから形成されている。
この導入管路３２は、凹部２０の底面と滑らかな連続湾曲面として繋がっており、凹部２０から導入管路３２に流入した洗浄水が導入管路３２内をスムーズに流れるようになっている。
【００２１】
次に、図３乃至図６により、本発明の実施形態による水洗大便器１の給水装置４について説明する。図３は本発明の実施形態による水洗大便器の給水装置を示す平面図であり、図４は図３の正面図であり、図５は図３の給水装置を示す概略正面図であり、図６は図３の給水装置により供給される洗浄水の瞬間流量と時間との関係を示す線図である。なお、図５において、便宜上、ジェットノズル及びスロート管の配置が図３及び図４に示されたものと異なる配置に描かれている。
【００２２】
水洗大便器１の給水装置４は、貯水タンク５と、この貯水タンク５に洗浄水を供給する給水管路３６と、この給水管路３６に設けられた給水弁装置３８と、この給水管路３６の下流端に設けられ便器本体２に洗浄水を供給するためのジェットポンプユニット６と、使用者が手動操作により洗浄水の給水を行うための手動レバー４０を備えている。
【００２３】
給水管路３６の上流端には、外部の給水源から供給される洗浄水を止水するための止水栓４１が設けられている。この止水栓４１は、通常使用時は開状態に保持されている。
【００２４】
ジェットポンプユニット６は、逆Ｖ字形状のスロート管４２と、ジェットノズル４４とを備えている。具体的には、スロート管４２の下流端が便器本体２の共通通水路１０に連通する排水口４５（図２参照）に接続され、その上流端には吸引口４２ａが形成され、この吸引口４２ａが貯水タンク５内の下部に位置するようになっている。さらに、スロート管４２の吸引口４２ａに対向するように、ジェットノズル４４が配置され、スロート管４２の吸引口４２ａとジェットノズル４４は、常時、貯水タンク５内で水没した状態となっている。
【００２５】
ジェットポンプ６は、ジェットノズル４４からスロート管４２の吸引口４２ａに向けて高速の洗浄水を噴射し、このとき、ジェットノズル４４に近いスロート管４２内の吸引口４２ａ近傍の空間が負圧となり、この負圧によりジェットポンプ作用（エジェクタ効果）を誘発させることにより、貯水タンク５内の近傍の洗浄水を吸引し、この洗浄水とジェットノズル４４から噴出される洗浄水とが一緒になり、スロート管４２内を流れ、排水口４５を経て、便器本体２の共通通水路１０に供給されるようになっている。
【００２６】
給水管路３６には、上述した給水弁装置３８以外に、給水弁装置３８の上流側に定流量弁４６が、下流側に真空破壊弁４８が設けられている。この定流量弁４６は、給水弁装置３８に供給される洗浄水を定流量とするためのものであり、真空破壊弁４８は、外部から空気を吸入して真空破壊弁４８からジェットノズル４４までの管路内が負圧にならないようにするためのものである。
【００２７】
給水弁装置３８は、パイロット式ダイアフラム弁であり、主弁座５０と、この主弁座５０に着座して止水する止水状態と主弁座５０から離間して給水する給水状態とを切り換えるダイアフラム弁である主弁体５２と、その内部の圧力により主弁体５２を主弁座５０に対して移動させる圧力室５４とを備えている。圧力室５４には、圧力室５４の圧力を開放する第一穴５６及び第二穴５８と、上述した手動レバー４０における使用者の手動操作と連動して第一穴５６を開閉する第一パイロット弁６０と、貯水タンク５内の洗浄水の水位に伴い上下動するフロート６２と、このフロート６２の上下動により第二穴５８を開閉する第二パイロット弁６４が設けられている。
【００２８】
また、主弁体５２には、ブリード穴（図示せず）が設けられており、止水状態のとき、ブリード穴により給水管路３６の一次側流路Ａと圧力室５４の内部とが連通するようになっている。ここで、第一穴５６は、その開口面積が第二穴５８の開口面積よりも大きく形成されている。また、第一穴５６は、第二穴５８よりも、図５に示すように、上方位置に形成されている。
【００２９】
第一パイロット弁６０は、駆動軸６５により手動レバー４０に接続され、使用者の手動レバー４０の手動操作により、第一穴５６を開閉するようになっている。ここで、手動レバー４０は、図４において、手前側（一方向）に回動操作させた場合には大洗浄がなされ、奥側（他方向）に回動操作させた場合には小洗浄がなされるようになっている。
【００３０】
この給水弁装置３８は、通常は止水状態であり、止水状態では、第一穴５６及び第二穴５８は共に塞がれており、且つ、給水管路３６の一次側流路Ａは圧力室５４とブリード穴を通じて連通しているため、一次側流路Ａと圧力室５４の水圧は同じ水圧（＝一次側流路圧力）、また二次側流路Ｂは大気開放となり、主弁体５２に水圧が作用する面積の方が一次側流路Ａの面積よりも大であるので、主弁体５２は主弁座５０に押付けられ閉じられている。
【００３１】
給水弁装置３８において、第一穴５６及び/又は第二穴５８が第一パイロット弁６０及び/又は第二パイロット弁６４により開放されると、圧力室５４から洗浄水が流出し、圧力室５４内の圧力が低下し、主弁体５２が主弁座５０から離れるように移動し、開弁し、吐水状態となる。
【００３２】
給水弁装置３８において、第一穴５６及び第二穴５８が第一パイロット弁６０及び第二パイロット弁６４により閉じられると、再度圧力室５４の圧力が一次側流路圧力となり、主弁体５２が主弁座５０に向けて移動し、最終的に閉弁された状態（止水状態）となる。なお、このとき、一次側流路Ａの洗浄水が、圧力室５４内へブリード穴から少しずつ注入されるため、第一穴５６及び第二穴５８を塞いでから、所定時間遅れて、主弁体５２が閉弁状態（止水状態）となるようになっている。
【００３３】
次に、図５に示すように、スロート管４２の下端近傍には、ジェット吐水とタンク貯水とを切換えるための切換弁６６と、この切換弁６６に取り付けられたフロート６８が設けられている。このフロート６８は、貯水タンク５内の水位により上下動するため、水位が低くなったときは、フロート６８も下降し、それにより、切換弁６６がスロート管４２内の流路を塞ぐようになっている。スロート管４２内の流路が塞がれた状態では、ジェットノズル４４から噴射された洗浄水は、切換弁６６に衝突し、スロート管４２内を流れることなく、貯水タンク５内に流れ、貯水タンク５内に貯水される。また、所定水位に達して貯水が完了すると、フロート６８も上昇し、それにより、切換弁６６がスロート管４２内の流路を開放するようになっている。スロート管４２内の流路を開放された状態では、ジェットノズル４４から噴射された洗浄水は、スロート管４２内を流れ、便器本体２に供給されるようになっている。
【００３４】
さらに、貯水タンク５内には、大洗浄及び小洗浄に必要な洗浄水量を切り換えるための大小洗浄切換機構７０が設けられている。この大小洗浄切換機構７０は、貯水タンク５内をジェットノズル４４及びスロート管４２の吸引口４２ａを取り囲む空間と他の空間とを仕切りその上方が開放されている仕切壁７２と、この仕切壁７２に形成された開口７４と、この開口７４を開閉するために仕切壁７２に取り付けられた開閉弁７６と、を備えている。
【００３５】
大小洗浄切換機構７０の開閉弁７６は、鎖７８により駆動軸６５に接続され、小洗浄のために、使用者により手動レバー４０が他方向に回動操作された場合に、鎖７８により開閉弁７６が引き上げされ、開閉弁７６により開口７４を閉じるようになっている。
【００３６】
次に、貯水タンク５内には、便器本体２を洗浄後に便器本体２に補給水を供給するため補給水供給パイプ８１が設けられている。この補給水供給パイプ８１の下方端８１ａはスロート管４２の下流側端に連通し、上方端８１ｂには補給水供給口８３が形成されている。
【００３７】
図５に示すように、貯水タンク５内の水位ＷＬは、以下の位置となる。水位ＷＬ１は仕切壁７２の開口７４の下端位置であり大洗浄が終了したときの水位を示し、水位ＷＬ２は仕切壁７２の上端位置であり小洗浄が終了したときの水位を示し、水位ＷＬ３は水洗大便器１の使用前又は使用後の通常の水位を示し、水位ＷＬ４は大洗浄又は小洗浄後に給水弁装置３８により貯水タンク５内に洗浄水が給水されその後給水が停止した直後（且つ洗浄水補給前）の止水状態を示す水位である。
【００３８】
図６に示されているように、ジェットポンプユニット６を備えた給水装置４は、一定の大流量の洗浄水を所定時間継続して便器本体２へ供給することができる。具体的に言えば、給水装置４は、例えば、瞬間流量８５Ｌ／分の洗浄水を４秒間継続して便器本体２へ供給するようになっている。なお、給水装置４による瞬間流量は、約６５Ｌ/分〜約８５Ｌ/分の範囲の大流量が好ましくは、また、約３秒〜約７秒継続して供給することが好ましい。
【００３９】
次に、図１、図２、図７及び図８により、本実施形態による水洗大便器１の便器本体２のボウル部８の構造を詳細に説明する。
図７は図１のVII−VII線に沿って見た部分断面図であり、図８は図１のVIII−VIII線に沿って見た部分断面図であり、図９は図１のIX−IX線に沿って見た部分断面図である。
図１に示すように、便器本体２のボウル部８には、上述したように、ボウル部８のリム部１８の内周面２２の前方から見て左側の中央部の少し後方側に、リム部１８の内周面２２に沿って洗浄水を吐水し旋回する流れを形成する第１リム吐水口２４が形成され、前方から見て右側後方側に、リム部１８の内周面２２に洗浄水を吐水して第１リム吐水口２４による旋回流と同一方向の旋回流を形成する第２リム吐水口２６とが形成されている。ここで、図１、図２、図７及び図８に示すように、リム部１８の第１リム吐水口２４から第２リム吐水口２６までの領域は、その内周面２２に沿って洗浄水が流れる通水路となっている。
【００４０】
リム部１８の内周面２２の側壁部２２ｂには、その上側領域２２ｃに第１リム吐水口２４から吐水され旋回する洗浄水の流れを減速させる旋回流減速手段８０が設けられている。
旋回流減速手段８０は、リム部１８の前端１８ａ近傍の上流側領域Ａ１に形成された第１旋回流減速手段８２と、リム部１８の後方側領域内の第２リム吐水口近傍の上流側領域Ａ３に形成された第２旋回流減速手段８４とを備えている。リム部１８の前端１８ａにおいては、リム部１８の内周面２２の曲率半径が最小に形成されている。
【００４１】
第１旋回流減速手段８２は、便器本体２の前方から見て左側（上流側）前方に位置し、リム部１８の内周面２２の側壁部２２ｂからボウル部８の外側に凹む凹形状に形成されている。第１旋回流減速手段８２は、リム部１８の内周面２２の側壁部２２ｂの上側領域２２ｃにおいて形成される。第１旋回流減速手段８２は、同じ高さ位置におけるその前後の内周面２２の基本的な曲率半径Ｒ０よりも小さな曲率半径Ｒ１を有する断面弧形状の湾曲面を有している。これに対し、第１旋回流減速手段８２より下方の内周面２２の側壁部２２ｂの下側領域２２ｄにおいては、リム部１８の内周面２２の側壁部２２ｂが同じ高さ位置におけるその前後の内周面２２の基本的な曲率半径Ｒ０とほぼ変わらない曲率半径Ｒ２を有する緩やかな湾曲面を形成している。図９に示すように、第１旋回流減速手段８２の設けられている上側領域２２ｃと、側壁部２２ｂの下側領域２２ｄとは半径方向にずれて配置されている。別の言い方によれば、第１旋回流減速手段８２は、前後のリム部１８の内周面２２に対して局部的に窪んだ凹面を形成している。また、第１旋回流減速手段８２より下方の下側領域２２ｄにおいては、局部的に形状が大きく変わることなく前後のリム部１８の内周面２２と連続したなめらかな流面が形成されている。
よって、第１旋回流減速手段８２における上側領域２２ｃの曲率半径Ｒ１は、第１旋回流減速手段８２より下方の内周面２２の側壁部２２ｂの下側領域２２ｄの曲率半径Ｒ２よりも小さくされている。
【００４２】
本実施形態においては、第１旋回流減速手段８２は、リム部１８の内周面２２の側壁部２２ｂからボウル部８の外側に凹む凹形状に形成されているが、第１旋回流減速手段８２は、リム部１８の内周面２２の側壁部２２ｂからボウル部８の内側に突出する凸形状に形成されていてもよい。また、第１旋回流減速手段８２は、平面視で、内側又は外側向きの円弧形状に限られず、直線部分、角部分、球状部分、屈曲部分を含むような前後のリム部１８の内周面２２から曲がる他の形状で形成されてもよい。
【００４３】
図９に示すように、リム部１８の内周面２２の側壁部２２ｂの上側領域２２ｃにおける第１旋回流減速手段８２の曲率（１／Ｒ１）は、第１旋回流減速手段８２より下方の下側領域２２ｄにおける曲率（１／Ｒ２）よりも大きく形成されている。また、第１旋回流減速手段８２の曲率（１／Ｒ１）は、第１旋回流減速手段８２よりさらに上方の内周面２２の頂部領域２２ｅにおける曲率（１／Ｒ３）よりも大きく形成されている。また、上述のように、第１旋回流減速手段８２の曲率（１／Ｒ１）は、同じ高さ位置におけるその前後の内周面２２の側壁部２２ｂの基本的な曲率（１／Ｒ０）よりも大きくなるような湾曲面を有している。
このように、第１旋回流減速手段８２は、内周面２２の側壁部２２ｂの下側領域２２ｄよりも外側に湾曲した流路を形成し、リム部１８に沿って旋回する旋回流を破壊及び/又は抑制することができる。よって、第１旋回流減速手段８２は、リム部１８の前端１８ａ近傍の上流側領域Ａ１を通過してリム部１８の前端１８ａ近傍の下流側領域Ａ２に至る洗浄水の流れを減速することができる。また、第１旋回流減速手段８２は、リム部１８に沿って旋回する旋回流が第１旋回流減速手段８２より上方に上昇することを抑制することができる。
【００４４】
第２旋回流減速手段８４は、便器本体２の前方から見て右側（下流側）後方側領域において、第２リム吐水口２６よりも前方側に位置し、リム部１８の内周面２２の側壁部２２ｂからボウル部８の外側に凹む凹形状に形成されている。第２旋回流減速手段８４は、リム部１８の内周面２２の側壁部２２ｂの上側領域２２ｃにおいて形成される。第２旋回流減速手段８４は、同じ高さ位置におけるその前後の内周面２２の基本的な曲率半径Ｒ０よりも小さな曲率半径Ｒ４を有する断面弧形状の湾曲面を有している。これに対し、第２旋回流減速手段８４より下方の内周面２２の側壁部２２ｂの下側領域２２ｄにおいては、リム部１８の内周面２２の側壁部２２ｂが同じ高さ位置におけるその前後の内周面２２の基本的な曲率半径Ｒ０とほぼ変わらない曲率半径Ｒ５を有する緩やかな湾曲面を形成している。第２旋回流減速手段８４の設けられている上側領域２２ｃと、側壁部２２ｂの下側領域２２ｄとは半径方向にずれて配置されている。
別の言い方によれば、第２旋回流減速手段８４は、前後のリム部１８の内周面２２に対して局部的に窪んだ凹面を形成している。また、第２旋回流減速手段８４より下方の内周面２２の側壁部２２ｂの下側領域２２ｄにおいては、前後のリム部１８の内周面２２と連続したなめらかな流面が形成されている。
よって、第２旋回流減速手段８４における上側領域２２ｃの曲率半径Ｒ４は、第２旋回流減速手段８４より下方の内周面２２の側壁部２２ｂの下側領域２２ｄの曲率半径Ｒ５よりも小さくされている。
【００４５】
本実施形態においては、第２旋回流減速手段８４は、リム部１８の内周面２２の側壁部２２ｂからボウル部８の外側に凹む凹形状に形成されているが、第２旋回流減速手段８４は、リム部１８の内周面２２の側壁部２２ｂからボウル部８の内側に突出する凸形状に形成されていてもよい。また、第２旋回流減速手段８４は、平面視で、円弧形状に限られず、直線部分、角部分、球状部分を含むような前後のリム部１８の内周面２２から曲がる他の形状で形成されてもよい。
【００４６】
図８に示すように、リム部１８の内周面２２の側壁部２２ｂの上側領域２２ｃにおける第２旋回流減速手段８４の曲率（１／Ｒ４）は、第２旋回流減速手段８４より下方の下側領域２２ｄにおける曲率（１／Ｒ５）よりも大きく形成されている。また、第２旋回流減速手段８４の曲率（１／Ｒ４）は、第２旋回流減速手段８４よりさらに上方の内周面２２の頂部領域２２ｅにおける曲率（１／Ｒ３）よりも大きく形成されている。また、上述のように、第２旋回流減速手段８４の曲率（１／Ｒ４）は、同じ高さ位置におけるその前後の内周面２２の側壁部２２ｂの基本的な曲率（１／Ｒ０）よりも大きくなるような湾曲面を有している。
このように、第２旋回流減速手段８４は、内周面２２の側壁部２２ｂの下側領域２２ｄよりも外側に湾曲した流路を形成し、リム部１８に沿って旋回する旋回流を破壊及び/又は抑制することができる。よって、第２旋回流減速手段８４は、リム部１８の前端１８ａから後方の第２リム吐水口２６近傍の上流側領域Ａ３を通過して第２リム吐水口２６近傍の合流領域Ａ４に至る洗浄水の流れを減速することができる。また、第２旋回流減速手段８４は、リム部１８に沿って旋回する旋回流が第２旋回流減速手段８４より上方に上昇することを抑制することができる。
【００４７】
次に、上述した本発明の実施形態による水洗大便器１による作用効果を説明する。
先ず、使用者が給水装置４の手動レバー４０を操作すると、給水弁装置３８により外部の給水源から供給される洗浄水がジェットノズル４４に到達し、ジェットノズル４４から洗浄水がスロート管４２の吸引口４２ａに向けて噴射される。このとき、スロート管４２の吸引口４２ａ付近は負圧となるので、貯水タンク５内に貯水された洗浄水もスロート管４２内に吸引され、給水装置４により外部から供給される洗浄水と貯水タンク５内に洗浄水が一緒になってスロート管４２内を流れ、便器本体２に供給され、ボウル部８の洗浄が開始される。このとき、給水装置４からは、図６に示すように、一定の大流量の洗浄水が所定時間継続して便器本体２へ供給される。
【００４８】
便器本体２においては、第１リム吐水口２４は、洗浄水を前方に向けてほぼ水平方向に吐水し、第２リム吐水口２６は、洗浄水を後方に向けてほぼ水平方向に吐水し、同一方向（反時計回り）に旋回する旋回流を形成するようになっている。第１リム吐水口２４から前方に吐水された洗浄水は、リム部１８の内周面２２の通水路に沿って流れ、ボウル部８の前端を通過して、反対側にある第２リム吐水口２６まで、到達する。一方、第２リム吐水口２６から吐水された洗浄水は、同様に、リム部１８の内周面２２の通水路に沿って流れ、同一方向に旋回する旋回流となる。
【００４９】
ここで、主に第１リム吐水口２４から吐水された洗浄水は第１リム吐水口２４の前方側から、リム部１８の内周面２２に沿って、リム部１８の前端１８ａ近傍の上流側領域Ａ１を通過し、リム部１８の前端１８ａ近傍の下流側領域Ａ２に流れる。洗浄水の供給流量が比較的少ない場合には、吐水された洗浄水は、第１旋回流減速手段８２より下方の内周面２２の側壁部２２ｂの下側領域２２ｄに沿って、矢印Ｆ１に示すように、流速を維持しながら滑らかに流れ、リム部１８の前端１８ａ近傍の上流側領域Ａ１を通過し、リム部１８の前端１８ａ近傍の下流側領域Ａ２に到達することができる。このように、リム部１８の内周面２２における洗浄水の旋回性が維持され、洗浄性能が確保できる。
給水装置４が一定の大流量の洗浄水を所定時間継続して便器本体２へ供給し、リム部１８の内周面２２の側壁部２２ｂを旋回する洗浄水が、洗浄の後半等において下側領域２２ｄから上側領域２２ｃに上昇する場合には、洗浄水は、矢印Ｆ２に示すように、第１旋回流減速手段８２の凹形状に沿って流れることにより流速が減速され、リム部１８の前端１８ａ近傍の上流側領域Ａ１を通過して、洗浄水が便器外へ飛び出しやすいリム部１８の前端１８ａ近傍の下流側領域Ａ２に至る洗浄水の流れは減速されることができ、重力により下方へ流下しようとする。従って、リム部１８の前端１８ａ近傍の下流側領域Ａ２において洗浄水の旋回流が上昇して便器外へ飛び出すことを抑制することができる。
【００５０】
また、主に第１リム吐水口２４から吐水された洗浄水は、リム部１８の前端１８ａから、リム部１８の内周面２２に沿って、リム部１８の後方の第２リム吐水口２６近傍の上流側領域Ａ３を通過し、第２リム吐水口２６近傍の合流領域Ａ４に向かって流れる。洗浄水の供給流量が比較的少ない場合には、この洗浄水の流れは、第２旋回流減速手段８４より下方の内周面２２の側壁部２２ｂの下側領域２２ｄに沿って、矢印Ｆ３に示すように、流速を維持しながら滑らかに流れ、第２リム吐水口２６近傍の上流側領域Ａ３を通過し、第２リム吐水口２６近傍の第２リム吐水口２６から吐水される洗浄水との合流領域Ａ４に到達することができる。このように、第２旋回流減速手段８４より下方の下側領域２２ｄに沿った旋回流の流速が維持され、第２リム吐水口２６から吐水される洗浄水の流れと合流して、リム部１８の内周面２２における洗浄水の旋回性が維持され、洗浄性能が確保できる。
給水装置４が一定の大流量の洗浄水を所定時間継続して便器本体２へ供給し、リム部１８の内周面２２の側壁部２２ｂを旋回する洗浄水が、洗浄の後半等において下側領域２２ｄから上側領域２２ｃに上昇する場合には、洗浄水は、矢印Ｆ４に示すように、リム部１８の内周面２２の側壁部２２ｂの上側領域２２ｃにおいて形成される第２旋回流減速手段８４の凹形状に沿って流れることになる。洗浄水は、矢印Ｆ４に示すように、第２旋回流減速手段８４の凹形状に沿って流れることにより流速が減速され、第２リム吐水口２６近傍の上流側領域Ａ３を通過して、洗浄水が便器外へ飛び出しやすい第２リム吐水口２６近傍の合流領域Ａ４に至る洗浄水の流れは減速されることができ、重力により下方へ流下しようとする。従って、第２リム吐水口２６近傍の合流領域Ａ４において、第２リム吐水口２６近傍の上流側領域Ａ３におけるリム部１８の内周面２２の側壁部２２ｂの上側領域２２ｃからの洗浄水の流れが、第２リム吐水口２６から吐水される洗浄水の流れに乗り上げるように合流して、洗浄水の旋回流が上昇して便器外へ飛び出すことを抑制することができる。
【００５１】
上述した本発明の実施形態による水洗大便器１においては、リム部１８の内周面２２における上側領域２２ｃに第１旋回流減速手段８２及び第２旋回流減速手段８４が設けられているために、給水装置４が洗浄水を便器本体２へ供給し、リム部１８の内周面２２を旋回する洗浄水が、洗浄の後半等において下側領域２２ｄから上側領域２２ｃに上昇する場合に、旋回する洗浄水の流れを減速させることができ下方へと向きを変えることができる。よって、リム部１８の内周面２２における洗浄水の旋回性を維持すると共に、リム部１８の内周面２２に沿って洗浄水の旋回流が上昇して便器外へ飛び出すことを抑制することができる。この結果、本発明によれば、洗浄水がボウル部８のリム部１８から便器外へ飛び出すことを抑制し、さらに、洗浄性能を向上させることができる。
【００５２】
また、本実施形態による水洗大便器１においては、第１旋回流減速手段８２が、第１リム吐水口２４から吐水され、リム部１８の前端１８ａの近傍の上流側領域Ａ１を通過して、リム部１８の前端１８ａから洗浄水が便器外へ飛び出しやすいリム部１８の前端１８ａの近傍の下流側領域Ａ２に至る洗浄水の流れを減速することができる。従って、給水装置４が洗浄水を便器本体２へ供給し、リム部１８の内周面２２を旋回する洗浄水が、洗浄の後半等において下側領域２２ｄから上側領域２２ｃに上昇する場合に、第１旋回流減速手段８２が、リム部１８の前端１８ａの近傍の下流側領域Ａ２における洗浄水の流れを減速させることができ下方へと向きを変えることができる。つまり、便器外へ洗浄水が飛び出しやすいリム部１８の前端１８ａの近傍の下流側領域Ａ２に至った洗浄水の内、内周面２２の下側領域２２ｄから上側領域２２ｃに上昇する洗浄水の量を減らすことができ、洗浄水が飛び出しやすいリム部１８の前端１８ａの近傍の下流側領域Ａ２において、洗浄水が便器外へ飛び出すことを防止することができる。
【００５３】
また、本実施形態による水洗大便器１においては、第２旋回流減速手段８４が、リム部１８の前端１８ａからリム部１８の後方の第２リム吐水口２６近傍の上流側領域Ａ３を通過して、洗浄水が便器外へ飛び出しやすい第２リム吐水口２６近傍の合流領域Ａ４に至る洗浄水の流れを減速することができる。従って、給水装置４が洗浄水を便器本体２へ供給し、リム部１８の内周面２２を旋回する洗浄水が、洗浄の後半等において下側領域２２ｄから上側領域２２ｃに上昇する場合に、第２旋回流減速手段８４が、第２リム吐水口２６の近傍の合流領域Ａ４に至る洗浄水の流れを減速させることができ下方へと向きを変えることができる。つまり、便器外へ洗浄水が飛び出しやすい第２リム吐水口２６の近傍の合流領域Ａ４に至った洗浄水の内、内周面２２の下側領域２２ｄから上側領域２２ｃに上昇する洗浄水の量を減らすことができ、洗浄水が飛び出しやすい第２リム吐水口２６の近傍の合流領域Ａ４において、洗浄水が便器外へ飛び出すことを防止することができる。
【００５４】
また、本実施形態による水洗大便器１においては、旋回流減速手段８０は、平面視で、リム部１８の内周面２２からボウル部８の内側に突出する凸形状又はボウル部の外側に凹む凹形状に形成されているので、リム部１８の内周面２２における洗浄水の旋回性を著しく損なうことなく、リム部１８の内周面２２を旋回する洗浄水が、洗浄の後半等において下側領域２２ｄから上側領域２２ｃに上昇する場合に、旋回する洗浄水の流れを減速させることができ下方へと向きを変えることができる。
【００５５】
また、本実施形態による水洗大便器１においては、給水装置４が、一定の大流量の洗浄水を所定時間継続して便器本体２へ供給するジェットポンプユニットであっても、リム部１８の内周面２２における上側領域２２ｃに旋回流減速手段８０が設けられているので、給水装置４が一定の大流量の洗浄水を所定時間継続して便器本体２へ供給し、リム部１８の内周面２２を旋回する洗浄水が、洗浄の後半等において下側領域２２ｄから上側領域２２ｃに上昇する場合に、旋回する洗浄水の流れを減速させることができ下方へと向きを変えることができる。
【符号の説明】
【００５６】
１            水洗大便器
２            便器本体
４            給水装置
６            ジェットポンプユニット
８            ボウル部
１８          リム部
１８ａ        前端
２２          内周面
２２ｂ        側壁部
２２ｃ        上側領域
２２ｄ        下側領域
２４          第１リム吐水口
２６          第２リム吐水口
４２          スロート管
４４          ジェットノズル
４５          排水口
８０          旋回流減速手段
８２          第１旋回流減速手段
８４          第２旋回流減速手段
Ａ１          上流側領域
Ａ２          下流側領域
Ａ３          上流側領域
Ａ４          合流領域
【図１】
2015183420.tif 000003
【図２】
2015183420.tif 000004
【図３】
2015183420.tif 000005
【図４】
2015183420.tif 000006
【図５】
2015183420.tif 000007
【図６】
2015183420.tif 000008
【図７】
2015183420.tif 000009
【図８】
2015183420.tif 000010
【図９】
2015183420.tif 000011